(57)【特許請求の範囲】
【請求項１】
光学ユニットを備え、シート原稿読み取り位置が、原稿読み取り待機時のホームポジションとなる画像読み取り装置において、前記光学ユニットを前記ホームポジションから移動して電子機能を維持するための低エネルギ消費モードに移行させる機能を有し、前記光学ユニットを移動させ、ホームポジション検知センサがＯＦＦとなる位置且つ白基準板の端部になる位置で前記光学ユニットを停止してから前記低エネルギ消費モードへ移行し、通常モードに復帰するときは、前記光学ユニットはホームポジションに戻る動作をすることを特徴とする画像読み取り装置。
【請求項２】
前記光学ユニットを復帰するときには、前記停止位置で前記光学ユニットの光源を点灯させてからシェーディングを行い、前記ホームポジションにて前記光学ユニットを停止させることを特徴とする請求項１記載の画像読み取り装置。
【請求項３】
シート原稿を搬送するシート原稿搬送装置と、
シート原稿読み取り用ガラスと、
を備え、
前記シート原稿読み取り位置は、前記シート原稿搬送装置により搬送されたシート原稿が前記シート原稿読み取り用ガラスの上を通過する位置に設けられていることを特徴とする請求項１または２記載の画像読み取り装置。
【発明の詳細な説明】
【０００１】
【発明の属する技術分野】
本発明は、光学ユニットを備え、シート原稿読み取り位置が、原稿読み取り待機時のホームポジションとなる画像読み取り装置に関する。
【０００２】
【従来の技術】
画像読み取り装置が、原稿を照明するための光源と、この光源で照明された原稿からの反射光を導くミラーと、導かれた反射光を結像させるレンズと、このレンズで結像された原稿画像を読み取るための走査手段を駆動するパルスモータを備えることは知られている。
【０００３】
この画像読み取り装置においては、シート原稿読み取り位置が、原稿読み取り待機時のホームポジションとなり、そして一定時間、読み取り準備および読み取り動作が行われない場合でも、この画像読み取り装置にはタイマ、カウンタ、ならびにメモリ機能のような電子機能を継続して維持するためにエネルギが供給されて装置機能の維持が可能となっている。
【０００４】
【発明が解決しようとする課題】
シート原稿読み取り位置が、原稿読み取り待機時のホームポジションとなっている画像読み取り装置において、常時、原稿読み取り待機時のホームポジションに光学ユニットがある場合、シート原稿搬送時に、紙質のよくない原稿等により、紙粉が発生し、シート原稿読み取り位置のシート原稿読み取り用ガラス付近に、その紙粉が溜まり易く、また、画像読み取り装置が粉塵等の環境条件が良くない場所に設置されていると、そのシート原稿読み取り用ガラス付近の隙間より、光学ユニットのミラー、他の構成要素に紙粉および粉塵が付着し、スジ上の異常画像が発生し易くなる。
【０００５】
本発明の目的は、光学ユニットをホームポジションから移動した後、低エネルギ消費モードに移行することにより、シート原稿読み取り用ガラス付近から回り込んでくる紙粉および粉塵が光学ユニットのミラーあるいは他の構成要素に付着しないようにし得る画像読み取り装置を提供することにある。
【０００６】
【課題を解決するための手段】
上記目的を達成するために、光学ユニットを備え、シート原稿読み取り位置が、原稿読み取り待機時のホームポジションとなる画像読み取り装置において、前記光学ユニットを前記ホームポジションから移動して電子機能を維持するための低エネルギ消費モードに移行させる機能を有し、前記光学ユニットを移動させ、ホームポジション検知センサがＯＦＦとなる位置且つ白基準板の端部になる位置で前記光学ユニットを停止してから前記低エネルギ消費モードへ移行し、通常モードに復帰するときは、前記光学ユニットはホームポジションに戻る動作をする画像読み取り装置を最も主要な特徴とする。
【０００７】
請求項２記載の発明は、請求項１記載の画像読み取り装置において、前記光学ユニットを復帰するときには、前記停止位置で前記光学ユニットの光源を点灯させてからシェーディングを行い、前記ホームポジションにて前記光学ユニットを停止させる画像読み取り装置を主要な特徴とする。
【０００８】
請求項３記載の発明は、請求項１または２記載の画像読み取り装置において、シート原稿を搬送するシート原稿搬送装置と、シート原稿読み取り用ガラスと、を備え、前記シート原稿読み取り位置は、前記シート原稿搬送装置により搬送されたシート原稿が前記シート原稿読み取り用ガラスの上を通過する位置に設けられている画像読み取り装置を主要な特徴とする。
【０００９】
【発明の実施の形態】
図１は本発明の画像読み取り装置を示す概略図である。この画像読み取り装置には、シート原稿搬送路１および光学ユニット２が設けられ、この光学ユニット２内には、光源および両端支持された第１ミラ−よりなる第１ミラ−ユニット３、同様に両端支持された第２ミラ−よりなる第２ミラ−ユニット４が設けられている。ホストコンピュ−タ（図示せず）から送られてくる１ライン毎の画像読み取り要求の信号に応じて、第１ミラ−ユニット３及び第２ミラ−ユニット４はそれぞれ２：１の速度でシート原稿に沿って移動しながら逐次画像の読み取りを行うよう構成されている。
【００１０】
図２はシート原稿読み取り用ガラス１０の周辺を拡大して示す部分断面図である。ＡＤＦ（オ−トドキュメントフィ−ダ）より搬送されたシ−ト原稿がシ−ト原稿読み取り用ガラス１０上を移動する際に、シート原稿の画像は、光源の下方より照明され、その反射光は第１ミラ−ユニット３、第２ミラ−ユニット４、第３ミラ−（図示せず）を介して結像レンズ５により結像され、結像された画像はＣＣＤ等の読み取りセンサ６によって電気信号に変換された後、図示してない、ホストコンピュ−タへ転送される。
【００１１】
図３は読み取り動作待機時におけるシ−ト原稿読み取り用ガラスと光学ユニットの位置関係を説明する概略図である。読み取り動作待機時に、光学ユニット２は、シート原稿読み取り位置（ホームポジション）で待機し、その際、ホームポジション検知センサ７（図１参照）によって、光学ユニット２がホームポジションにあることを検知し続けている。
【００１２】
図４は最低限のエネルギ消費モードにある光学ユニットを示す概略図である。この画像読み取り装置は、一定の時間にわたって読み取り準備および読み取り動作が行われない場合、タイマ、カウンタ、ならびにメモリ機能のような電子機能を継続して維持するために最低限のエネルギ消費モード、すなわち、低エネルギ消費モードに移行する。
【００１３】
従来では、最低限のエネルギ消費モードに移行後、復帰する際に、光学ユニット２が正規のホームポジションにあるかどうか不明なため、ホーミング動作（ホームポジション検知センサ７をＯＦＦ／ＯＮする往復動作）を行い、その後、シェーディング動作（白基準板９を読み取り、画像補正制御を行う動作）を行い、ホームポジションに光学ユニット２を移動させ、停止した後、読み取り準備完了となり、読み取り動作が行える状態にしていた。
【００１４】
本発明では、最低限のエネルギ消費モードに移行する直前に、光学ユニット２を移動させ、ホームポジション検知センサ７がＯＦＦとなる位置で、しかも、白基準板９の端部になる位置において停止させ、最低限のエネルギ消費モードに移行する。通常モードに復帰する際に、ホームポジション検出センサ７がＯＦＦとなっていて、白基準板９の端部位置に光学ユニット２が存在しているため、光学ユニット２はホームポジションに戻る動作をする。
【００１５】
この際、光源を点灯させ、ホームポジションに戻るときにシェーディングを行い、ホームポジションに光学ユニット２が戻ったところで、光学ユニット２を停止させ、読み取り準備完了となり、読み取り動作が行える状態になる。
【００１６】
【発明の効果】
上述したごとく、請求項１記載の発明よれば、光学ユニットを備え、シート原稿読み取り位置が、原稿読み取り待機時のホームポジションとなる画像読み取り装置において、前記光学ユニットを前記ホームポジションから移動して電子機能を維持するための低エネルギ消費モードに移行させる機能を有する構成としたので、シート原稿読み取り用ガラス付近から、回り込んでくる紙粉および粉塵が光学ユニットのミラー、その他の構成要素に付着しないようにすることが可能となる。
【００１７】
請求項２記載の発明によれば、前記低エネルギ消費モードに移行する直前に、前記光学ユニットを移動させるとき、ホームポジション検知手段によるホームポジション検出が、検出外の位置まで移動してから、前記低エネルギ消費モードに移行する構成としたので、従来行っている次回の通常エネルギモードに復帰したさいの読み取り準備動作（ホームポジション検出動作）の往復動作を省略し、復帰時間を早くすることが可能となる。
【００１８】
請求項３記載の発明によれば、前記低エネルギ消費モードに移行する直前に、前記光学ユニットを移動させ、この光学ユニットの停止位置を白基準板の端部とした構成であるので、従来行っている次回の通常エネルギモードに復帰したさいの読み取り準備動作（シェーディング動作）の往復動作の往路側動作を省略し、復帰時間を早くすることが可能となる。
【図面の簡単な説明】
【図１】本発明の画像読み取り装置を示す概略図である。
【図２】シート原稿読み取り用ガラスの周辺を拡大して示す部分断面図である。
【図３】読み取り動作待機時におけるシ−ト原稿読み取り用ガラスと光学ユニットの位置関係を説明する概略図である。
【図４】最低限のエネルギ消費モードにある光学ユニットを示す概略図である。
【符号の説明】
１  シート原稿搬送路
２  光学ユニット
３  第１ミラ−ユニット
４  第２ミラ−ユニット
５  結像レンズ
６  ＣＣＤセンサ
７  ホームポジション検知センサ
８  スケ−ル
９  白基準板
１０  シ−ト原稿読み取り用ガラス
【図１】
0004318280.tif 000002
【図２】
0004318280.tif 000003
【図３】
0004318280.tif 000004
【図４】
0004318280.tif 000005